(57)【特許請求の範囲】
【請求項１】
コンピュータのカードスロットに装着されたカードメディアの脱落を防止するためのカード押さえ材であって、
前記コンピュータの筐体に対して固定される固定部と、
前記固定部と接続されているカード覆い部と、
前記カード覆い部と接続されているカード係合部と、
を有し、
前記カード覆い部は、前記固定部が前記コンピュータの筐体に固定された状態のときに、前記カード覆い部が前記コンピュータの前記カードスロットの入口を覆う配置となるように形成されており、
前記カード係合部は、前記カードスロットに装着された状態の前記カードメディアの外面と前記カードスロットの入口の縁との間の隙間へ挿入されることで、前記カードメディアにおいて前記カードスロットの入口側に形成されている突起に係合可能であり、
前記固定部と前記カード覆い部と前記カード係合部とが同じ平面上に並んで形成されていること
を特徴とするカード押さえ材。
【請求項２】
カード覆い部には、カード押さえ材をカードスロットの入口に取り付けるために用いられる少なくとも１つの取付爪が形成されており、
前記カード覆い部の長手方向に沿った寸法を長手方向寸法、前記長手方向と交差する幅方向に沿った寸法を幅方向寸法とするとき、前記取付爪の長手方向寸法は、前記カード覆い部の幅方向寸法と同じまたはそれより小さくなっており、
カード係合部が前記カード覆い部の長手方向端部に形成されており、その幅方向寸法は前記取付爪の長手方向寸法と同じまたはそれより小さいこと
を特徴とする請求項１に記載のカード押さえ材。
【請求項３】
請求項２に記載のカード押さえ材を備えたコンピュータであって、
前記コンピュータのカードスロットの入口には、カード覆い部の取付爪を受容する取付切欠き部が形成されていること
を特徴するコンピュータ。
【請求項４】
カードスロットの奥行き寸法が、前記カードスロットにカードメディアを装着すると前記カードメディアの全体がコンピュータの筐体内に埋没する寸法となっており、
カード押さえ材のカード係合部を前記カードスロットの取付切欠き部に挿入して、前記カード係合部の先端を前記カードスロットに装着された前記カードメディアにおいて前記カードスロットの入口側に形成されている突起に係合させることで、前記カード押さえ材をてこの腕、前記取付切欠き部の縁を支点とするてこの作用により前記カードメディアを前記カードスロットから抜き出すことが可能であること
を特徴とする請求項３に記載のコンピュータ。
【発明の詳細な説明】
【技術分野】
【０００１】
本発明は、カードメディア用のカードスロットを備える産業機器等において用いられるカード押さえ材およびそれを備えたコンピュータに関するものである。
【背景技術】
【０００２】
一般的にコンピュータには各種端子が設けられている。特にデジタルサイネージ・自動販売機・アミューズメント機器等の各種産業機器に搭載される産業用コンピュータにおいては、制御対象の産業機器との通信のためにＬＡＮ端子，シリアル通信端子，ＵＳＢ端子，ビデオ出力端子等の通信端子が設けられている。さらにこういった通信端子の他に、産業機器の複雑な動作制御を行う産業用コンピュータにおいては、その動作制御に用いるデータやソフトウェアが記録された記憶媒体（メディア）を装着するためのメディア用端子も設けられている。
【０００３】
こういったデータやソフトウェアが記録されるメディアとしては例えばコンパクトフラッシュ（登録商標）カードやＣＦａｓｔ（登録商標）カードが用いられる。以下この２種をＣＦカード（カードメディアの一種）と総称するが、こうしたＣＦカードは機械的寸法が小型でありながらも記憶容量が大きく、さらに通信プロトコルがハードディスク（ＨＤＤ）と共通しているため、これをＨＤＤの代わりに用いることで、いわゆるデスクトップＰＣと同等の機能を有しながらも寸法が小型化されたコンピュータを構築することができる。
【０００４】
このＣＦカードには動作制御のための各種情報（例えばデータ、ソフトウェア、ファームウェアなど）が記録され、これらの情報が更新された場合には、装着済みのＣＦカードを新しい情報が記録されたＣＦカードに差し替えることでコンピュータ構成のアップデートが行われる。そのために、コンピュータにはＣＦカード用のカードスロットが設けられており、このスロットに対してＣＦカードを抜き差しすることが可能になっている。
【０００５】
ここで、ＣＦカード用のカードスロットにはＣＦカードを抜き差しし易くするためのイジェクト機構が設けられることが多い。しかしながら、このイジェクト機構はユーザが操作するためのレバーを伴うのでカードスロットの入口近くに大きなスペースを必要とし、またイジェクト機構を動作させるための内部構造、例えばスプリングやアームを収容するため、またこれらの可動範囲を確保するため、コンピュータの筐体内部に大きなスペースを必要とする。前述のようにＣＦカードを採用することでコンピュータの小型化が可能であるが、このようなイジェクト機構を設けてしまうと十分な小型化が行えない。
【０００６】
そこで産業用コンピュータにおいては、さらなる小型化を図るために、ＣＦカード用のカードスロットにイジェクト機構を設けない形態とすることも行われている。特許文献１はこうしたイジェクト機構を持たないカードスロットを備えたコンピュータを開示しており、この特許文献１のコンピュータにおいては、ＣＦカードの誤排出を防止するために用いられるカード押さえ金具を、ＣＦカードの抜き出しのために利用することが可能なようにして、小型化を図りながらもＣＦカードの抜き出しに不便がないようにしている。
【先行技術文献】
【特許文献】
【０００７】
【特許文献１】特許第５２６５０３０号公報
【発明の概要】
【発明が解決しようとする課題】
【０００８】
しかしながら、特許文献１に記載の発明において用いられるカード押さえ金具は、ＣＦカードがカードスロットに装着された状態で、そのカードスロットからＣＦカードの端部が突出する形態でなければ、抜き出しに利用することができない。
【０００９】
特許文献１においては、ＣＦカードの端部がカードスロットから３〜４ｍｍ突出する状態で装着されることが想定されている。そして、特許文献１においては、ＣＦカードの抜けの防止と衝撃からの保護のため外部端子配置面に固定されるカード押さえ金具に突出面を設けておき、ＣＦカードを抜き出す際には、カード押さえ金具を取り外して、ＣＦカードのスロット入口側先端部（スロットから突出している部分）に形成されている凸状の突起へとカード押さえ金具の突出面を嵌合させることで、カード押さえ金具を利用してＣＦカードの抜き出しを行えるようになっている。
【００１０】
ところが、コンピュータの構造によっては、ＣＦカードが装着状態においてカードスロットから突出しない場合もある。すなわち、カードスロットにＣＦカードを装着すると、ＣＦカードの全体がコンピュータの筐体内部に埋没する場合もある。このような場合、引用文献１に示されているカード押さえ金具では、埋没しているＣＦカードの突起にカード押さえ金具の突出面を嵌合させることができず、容易に抜き出しを行うことができない。ＣＦカードの全体がコンピュータ筐体の内部に埋没する場合、その取外しを行うには、ペンチなどの工具で挟み込んで引き抜く必要があり、工具を準備する手間がかかるほか、挟み込みの際に無理な力が加わってＣＦカードを損傷してしまうおそれがある。
【００１１】
そこで本発明は、カードスロットに装着された状態で筐体の外部に突出しないＣＦカードについてもＣＦカードを痛めることなく容易に取り出しを行うことができるカード押さえ材およびコンピュータを提供することを課題とする。
【課題を解決するための手段】
【００１２】
上記課題を解決するために、本発明に係るカード押さえ材は、コンピュータのカードスロットに装着されたカードメディアの脱落を防止するためのカード押さえ材であって、前記コンピュータの筐体に対して固定される固定部と、前記固定部と接続されているカード覆い部と、前記カード覆い部と接続されているカード係合部と、を有し、前記カード覆い部は、前記固定部が前記コンピュータの筐体に固定された状態のときに、前記カード覆い部が前記コンピュータの前記カードスロットの入口を覆う配置となるように形成されており、前記カード係合部は、前記カードスロットに装着された状態の前記カードメディアの外面と前記カードスロットの入口の縁との間の隙間へ挿入されることで、前記カードメディアにおいて前記カードスロットの入口側に形成されている突起に係合可能であり、前記固定部と前記カード覆い部と前記カード係合部とが同じ平面上に並んで形成されていることを特徴とする。
【００１４】
また、本発明に係るカード押さえ材は、上記構成に加えて、カード覆い部には、カード押さえ材をカードスロットの入口に取り付けるために用いられる少なくとも１つの取付爪が形成されており、前記カード覆い部の長手方向に沿った寸法を長手方向寸法、前記長手方向と交差する幅方向に沿った寸法を幅方向寸法とするとき、前記取付爪の長手方向寸法は、前記カード覆い部の幅方向寸法と同じまたはそれより小さくなっており、カード係合部が前記カード覆い部の長手方向端部に形成されており、その幅方向寸法は前記取付爪の長手方向寸法と同じまたはそれより小さいものであることが好ましい。
【００１５】
さらに、本発明に係るコンピュータは、以上のようなカード押さえ材を備えたコンピュータであって、前記コンピュータのカードスロットの入口には、カード覆い部の取付爪を受容する取付切欠き部が形成されていることを特徴する。
【００１６】
また、本発明に係るコンピュータは、上記構成に加えて、カードスロットの奥行き寸法が、前記カードスロットにカードメディアを装着すると前記カードメディアの全体がコンピュータの筐体内に埋没する寸法となっており、カード押さえ材のカード係合部を前記カードスロットの取付切欠き部に挿入して、前記カード係合部の先端を前記カードスロットに装着された前記カードメディアにおいて前記カードスロットの入口側に形成されている突起に係合させることで、前記カード押さえ材をてこの腕、前記取付切欠き部の縁を支点とするてこの作用により前記カードメディアを前記カードスロットから抜き出すことが可能であることが好ましい。
【発明の効果】
【００１７】
本発明に係るカード押さえ材によれば、ＣＦカードなどのカードメディアがカードスロットへの装着状態において筐体内に埋没していても、カード押さえ材のカード係合部をカードスロットとカードメディアとの間の隙間に挿入すれば、カードメディアの突起にカード係合部を係合させることができるので、カード押さえ材を用いてカードメディアの抜き出しを容易に行うことができる。
【００１８】
また、本発明に係るコンピュータによれば、カードスロットの入口に取付切欠き部が形成されているので、この取付切欠き部にカード押さえ材のカード係合部を挿入することでカード係合部を容易にカードスロットとカードメディアとの間の隙間に挿入することができて、カード押さえ材を用いてのカードメディアの抜き出しが容易である。
【図面の簡単な説明】
【００１９】
【図１】本発明の実施形態の一例としてのコンピュータを示す斜視図。
【図２】同実施形態のコンピュータのカードスロット周辺部を拡大して示す部分側面図。
【図３】同実施形態におけるカード押さえ材を示す斜視図であり、（ａ）は表側から見た図、（ｂ）は裏側から見た図。
【図４】同実施形態におけるカード押さえ材を用いたＣＦカード抜き出しの様子を示す部分斜視図。
【図５】同実施形態におけるカード押さえ材を用いたＣＦカード抜き出しの様子を模式的に示す部分断面図であり、（ａ）は抜き出しが行われる前の様子を示す図、（ｂ）は抜き出しが行われた後の様子を示す図。
【図６】本発明に係るカード押さえ材の例を示す平面図であり、（ａ）は図１〜図５の実施形態におけるカード押さえ材を示す図、（ｂ）はカード押さえ材の別形態を示す図。
【発明を実施するための形態】
【００２０】
図１に本発明に係る実施形態の一例としてのコンピュータ１０を示す。このコンピュータ１０の筐体１２における側面の１つ（図中上側）には、各種の端子、例えば電源端子１８ａ，シリアル通信端子１８ｂ，ビデオ出力端子１８ｃ，ＬＡＮ端子１８ｄ，ＵＳＢポート端子１８ｅ等が形成されており、さらに第１のＣＦカード９０が装着されるカードスロットも設けられている。この第１のＣＦカード９０は特許文献１のものと同じく、先端がカードスロットから３〜４ｍｍ突出する状態で装着される。
【００２１】
図１に示すコンピュータ１０においては、第１のＣＦカード９０が装着されるカードスロットの他に、図中右下側にもカードスロット３０が設けられている。このカードスロット３０の奥行き寸法は図中上側のものと比べて深くなっており、カードスロット３０に第２のＣＦカード４０を装着した場合、図４に示すように第２のＣＦカード４０の全体が筐体１２内部に埋没する。このように複数のカードスロットを設けておくと、更新頻度に差がある複数種別の情報をコンピュータ１０が扱う場合に、情報の記録先を種別に応じて第１のＣＦカード９０と第２のＣＦカード４０とに分けることができる。例えば、カードスロットから突出していて作業者の手でも容易に抜き出せる第１のＣＦカード９０には頻繁に更新が行われる情報（例えば試験運用中のソフトウェアなど）を記録しておき、それほど更新頻度が高くない情報（例えばコンピュータ１０の基礎的な動作を制御するファームウェア）は、比較的取り出しにくいカードスロット３０に装着される第２のＣＦカード４０に記録しておくとよい。
【００２２】
以下、第２のＣＦカード４０を単に「ＣＦカード４０」と呼ぶ。このＣＦカード４０をカードスロット３０に装着した際には、ＣＦカード４０がカードスロット３０から脱落することを防止するため、またＣＦカード４０を外部からの衝撃や振動から保護するために、カード押さえ材２０が筐体１２に固定される。カード押さえ材２０は図２に示すように、カードスロット３０の入口３２を覆うカード覆い部２４と、このカード覆い部２４の長手方向一端側に形成されたカード係合部２６と、カード覆い部２４の他端側に形成された固定部２２と、を有している。固定部２２はネジ１４を通すための通し穴として形成されており、ネジ１４を固定部２２に通して筐体１２のネジ穴１６へ締め付けることにより、カード押さえ材２０が筐体１２外面に固定されて、カード覆い部２４がカードスロット３０の入口３２を覆うように配置される。
【００２３】
次に、カード押さえ材２０の構造と筐体１２への固定についてより詳しく説明する。なお、カード押さえ材２０の表裏について、筐体１２へ固定した際に筐体１２と接触する側を裏側、裏側と反対側で外部に露出する側を表側と呼ぶ。図３（ａ），（ｂ）に示すように、カード押さえ材２０の大部分は平板状のカード覆い部２４であり、このカード覆い部２４の成す平面上において長手方向両端にそれぞれ固定部２２とカード係合部２６が接続されている。つまり、固定部２２、カード覆い部２４、カード係合部２６は同一の平板上に形成されており、同じ平面上に並んで接続された状態になっている。固定部２２は、表側から裏側へと貫通する穴として形成されている。ただし、この穴の径は表側と裏側で同じではなく、図１に示すネジ１４（皿ネジ）の頭部を収容できるように、表側から裏側へかけて穴径が減少するようなテーパ加工が施されている。カード係合部２６は、カード覆い部２４の先端に突き出た部分として形成されており、図６（ａ）に示すように、係合部２６の幅方向寸法Ｌ２（長手方向と交差する幅方向での寸法）は、カード覆い部２４の幅方向寸法Ｌ１よりも小さくなっている。そして、カード覆い部２４は、その長手方向寸法および幅方向寸法が図２に示すように入口３２の寸法よりも大きくなっており、入口３２の開口面積全体を覆うことができる。
【００２４】
さらに、カード押さえ材２０には、図２に破線で示すようなカードスロット３０の入口３２へとカード押さえ材２０を位置決めして取り付けるために用いられる２つの取付爪２８ａ，２８ｂが形成されている。図３（ａ），（ｂ）に示すように、これら取付爪２８ａ，２８ｂはカード覆い部２４と接続されていて表側から裏側へ向けて延びる突起状の部位であり、これを作成するには例えば、カード押さえ材２０の作成時にカード覆い部２４の長手方向中央付近において幅方向の左側と右側へとそれぞれ延びる２つの突起を用意しておき、これらの突起を表側から裏側へ向けて折り曲げることで形成することができる。左側の取付爪２８ａ（カード押さえ材２０の長手方向に沿ってカード係合部２６へ向く方向を前方とするときの左側）は、図３（ａ），（ｂ）に示すとおり表側から裏側へ向けて真っ直ぐ突き出る形状となっている。その一方、右側の取付爪２８ｂは、表側から裏側へと突き出た先に、裏側先端部がさらに幅方向においてカード覆い部２４から離れる方向（ここでは右側）へと曲げられて、いわば「かえし」が付けられている。図６（ａ）に示すように、本実施形態においてはこれら取付爪２８ａ，２８ｂの長手方向寸法Ｌ２は係合部２６の幅方向寸法Ｌ２と同じになっている。そのため、取付爪２８ａ，２８ｂの長手方向寸法Ｌ２はカード覆い部２４の幅方向寸法Ｌ１よりも小さくなっている。また、固定部２２、カード覆い部２４、カード係合部２６が成す平面上において取付爪２８ａ，２８ｂの位置での幅方向寸法がカード覆い部２４の幅方向寸法Ｌ１と等しくなるように、カード覆い部２４の長手方向中央付近の左側と右側それぞれに、幅方向寸法が取付爪２８ａ，２８ｂの厚み分と同じで長手方向寸法が取付爪２８ａ，２８ｂよりもやや大きい切欠きが設けられており、取付爪２８ａ，２８ｂはこの切欠きの範囲内に形成されている。
【００２５】
一方、図２に示すように、筐体１２においては、カードスロット３０の入口３２に、２つの取付爪２８ａ，２８ｂをそれぞれ受容する取付切欠き部３８ａ，３８ｂが形成されている。カードスロット３０の入口３２は筐体１２の外面に設けられた長方形型の開口であり、その開口面積はＣＦカード４０を差し込めるようにＣＦカード４０の断面積よりもやや大きくなっている。そしてこの入口３２の長手方向中央付近において、幅方向の左側と右側にそれぞれわずかに広がるようにして取付切欠き部３８ａ，３８ｂが形成されている。これら取付切欠き部３８ａ，３８ｂの位置は、カード押さえ材２０の固定部２２を筐体１２のネジ穴１６へ重ねた際に取付爪２８ａ，２８ｂが配置される位置となっている。そして取付切欠き部３８ａ，３８ｂの寸法は、幅方向については取付爪２８ａ，２８ｂの厚みよりやや大きく、長手方向については取付爪２８ａ，２８ｂの長手方向寸法（図６のＬ２）よりもやや大きくなっている。ただし長手方向寸法についてはカード覆い部２４の幅方向寸法（図６のＬ１）よりは小さくなっている。
【００２６】
これら取付切欠き部３８ａ，３８ｂと取付爪２８ａ，２８ｂが形成されていることにより、カード押さえ材２０の位置決めと固定が行いやすくなる。図５（ａ），（ｂ）に示すように、筐体１２の内部にはカードスロット３０の外枠を画定する枠体３４が配置されている。取付爪２８ａ，２８ｂをそれぞれ取付切欠き部３８ａ，３８ｂに挿入すると、取付爪２８ａ，２８ｂはこの枠体３４の外側を左右から挟みこむようにして配置されることになり、カード押さえ材２０がカードスロット３０の入口３２から左右方向へ外れにくくなる。さらに、前述のように右側の取付爪２８ｂには「かえし」が付いているため、図２に破線で示すように「かえし」の部分が筐体１２の外面の板の裏側の位置に配置されていると、カード押さえ材２０が図の紙面から離れる方向へ動こうとしても「かえし」が筐体１２の外面の板に引っかかることになるため、固定部２２を介しての固定が行われていなくともカード押さえ材２０が容易に入口３２から外れてしまうことはない。また、取付爪２８ａ，２８ｂがカード覆い部２４の長手方向中央部の左右に形成され、取付切欠き部３８ａ，３８ｂが入口３２の長手方向中央部の左右に形成されているので、取付爪２８ａ，２８ｂが取付切欠き部３８ａ，３８ｂに受容されるよう配置したときにカード覆い部２４が入口３２を覆うこととなり、カード押さえ材２０の位置決めが行いやすくなる。さらに、取付爪２８ａ，２８ｂを取付切欠き部３８ａ，３８ｂに挿入してから（順番としては「かえし」のある右側の取付爪２８ｂを挿入してから左側の取付爪２８ａを挿入するのが望ましい）固定部２２を介してネジ１４によるネジ穴１６への締め付けを行えば、ネジ１４の締め付け（回転）に伴ってカード押さえ材２０が回転してしまって入口３２から外れてしまうという事態も防がれる。
【００２７】
次に、カードスロット３０に装着され筐体１２内部に埋没しているＣＦカード４０をカード押さえ材２０を用いて抜き出す方法について説明する。ネジ１４の締め付けを解除してカード押さえ材２０を筐体１２から取り外した後、図４に示すように、取付切欠き部３８ａ，３８ｂのうちＣＦカード４０の突起４２に近い側（ここでは右側の取付切欠き部３８ｂとする）へとカード係合部２６を挿入する（矢印Ａの方向へ差し込む）。すると図５（ａ）に示すようにカード係合部２６の先端が突起４２に係合した状態となるので、この状態でカード押さえ材２０を筐体１２側へ倒す（矢印Ｂの方向へ動かす）と、取付切欠き部３８ｂの縁を支点、カード押さえ材２０をてこの腕とするてこの作用が働き、ＣＦカード４０は筐体１２から離れる方向（矢印Ｃの方向）の力を受ける。その結果、図５（ｂ）に示すように、ＣＦカード４０は接続端子３５との接続を解除されてカードスロット３０から抜き出され、筐体１２外部へと引き出される。
【００２８】
このように、本実施形態によれば、カードスロット３０からの脱落および外部の振動や衝撃からＣＦカード４０を保護するためのカード押さえ材２０をカードスロット３０からの抜き出しに用いることができるので、入口３２周りおよびカードスロット３０内部にイジェクト機構を設ける必要がなく、コンピュータ１０全体の小型化を図ることができる。さらに、普段は筐体１２に固定されているカード押さえ材２０を抜き出しのために利用できるので、筐体１２内部に埋没しているＣＦカード４０を抜き出すためにペンチなどの工具を持ってくる必要がなく、抜き出し作業が簡易化される。またペンチなどでＣＦカード４０に対して挟み込む力をかけつつ図５（ａ）の矢印Ｃの方向へ力をかけようとすれば、無理な力をかけることになってＣＦカード４０を損傷させてしまうおそれがあるが、カード押さえ材２０をてことして用いることにより、力をかけやすい矢印Ｂの方向へカード押さえ材２０を動かすだけでＣＦカード４０を矢印Ｃの方向へ押し上げることができるので、ＣＦカード４０に無理な力が加わることはなく、抜き出し作業でＣＦカード４０を損傷させてしまうおそれがない。
【００２９】
また、本実施形態によれば、図２に示す取付切欠き部３８ａ，３８ｂ（特に右側の取付切欠き部３８ｂ）の長手方向寸法が図６（ａ）に示すカード覆い部２４の幅方向寸法Ｌ１とカード係合部２６の幅方向寸法Ｌ２との間の寸法になっているため、図４に示すようにカード係合部２６を右側の取付切欠き部３８ｂへと挿入したとき、カード係合部２６とカード覆い部２４との間の段差（本実施形態ではテーパ状に形成されている）が取付切欠き部３８ｂの縁に引っかかることとなって、カード係合部２６のみを入口３２へ入り込ませることができ、カード覆い部２４までもが入口３２へと入り込んでしまうことがない。ここで、カード係合部２６の長手方向寸法が取付切欠き部３８ｂの幅方向外端からＣＦカード４０の外面までの距離と同程度であれば、カード係合部２６のみを入口３２へ入り込ませた際に、カード係合部２６の先端がちょうどＣＦカード４０の突起４２に係合することとなる。つまり、カード覆い部２４、カード係合部２６、取付切欠き部３８ｂを適切に寸法決めしてあれば、ＣＦカード４０を抜き出す際にカード係合部２６を突起４２に係合させるための位置合わせが容易となる。
【００３０】
また本実施形態においては図２に示すようにカード押さえ材２０の固定部２２とカード覆い部２４、カード係合部２６は同一の平板上に形成されており、同じ平面上に並んで接続された状態になっているので、固定部２２を介してカード押さえ材２０が筐体１２の外面に固定されたとき、固定部２２、カード覆い部２４、カード係合部２６はいずれも筐体１２の外面に沿って接触した状態となる。このため、カード押さえ材２０が筐体１２の外面に対して盛り上がる量はカード押さえ材２０の厚み分のみとなり、カード押さえ材２０を取り付けても筐体１２の外形寸法が過度に増加することはない。そのため、カード押さえ材２０を取り付けた状態でのコンピュータ１０の小型化を図ることができ、カード押さえ材２０が筐体１２の外方へ突出してしまってコンピュータ１０の設置空間が制限されるということもない。
【００３１】
なお、本実施形態においては図６（ａ）に示すように取付爪２８ａ，２８ｂの長手方向寸法Ｌ２をカード覆い部２４の幅方向寸法Ｌ１よりも小さくし、カード係合部２６の幅方向寸法Ｌ２を取付爪２８ａ，２８ｂの長手方向寸法Ｌ２と同じにしているが、カード押さえ材２０の寸法の決め方はこれに限るものではなく、例えば図６（ｂ）に示すカード押さえ材６０のように、カード覆い部６４とその先端のカード係合部６６とが同じ幅方向寸法Ｌ１になっていて、取付爪６８ａ，６８ｂの長手方向寸法もこれらと同じ寸法Ｌ１となっていてもよい。カード押さえ材６０をこのように寸法決めする場合、コンピュータ筐体側の取付切欠き部も取付爪６８ａ，６８ｂに合わせて大きく形成されるので、ＣＦカード抜き出しの際には、その大きく形成された取付切欠き部にカード係合部６６を挿入して、ＣＦカードの突起にカード係合部６６を係合させれば抜き出しを行うことができる。
【００３２】
また本実施形態においては図２に示すような取付爪２８ａ，２８ｂおよび取付切欠き部３８ａ，３８ｂを用意することで、筐体１２への固定時およびＣＦカード４０抜き出し時のカード押さえ材２０の位置決めを行いやすくしているが、筐体１２をさらに小型化するにあたっては取付爪２８ａ，２８ｂと取付切欠き部３８ａ，３８ｂを用意できないことがある。例えばカードスロット３０の入口３２周りに取付切欠き部３８ａ，３８ｂを設けるスペースがなく、入口３２が切欠きのない長方形状の開口として形成されることが考えられる。しかしこの場合であっても、ＣＦカード４０を挿入させる必要がある以上、入口３２の開口面積はＣＦカード４０の断面積より大きく形成されるので、装着状態のＣＦカード４０の外面と入口３２の縁との間には隙間が生じる。この隙間に入り込むことができる程度にカード押さえ材２０（特にカード係合部２６）の厚みが小さければ、カード係合部２６をこの隙間に挿入させて、ＣＦカード４０の入口側突起４２にカード係合部２６を係合させることにより、ＣＦカード４０にカード押さえ材２０を介して抜き出し方向の力をかけることが可能となるので、筐体１２内部に埋没したＣＦカード４０をカード押さえ材２０を用いて抜き出すことが可能である。
【００３３】
また本実施形態においては図１に示すように、固定部２２をネジ１４の通る穴として構成しているが、固定部２２は筐体１２への固定が行えるようになっていればよく、例えば金属スナップボタンなどネジ以外の方法で固定を行う形態であってもよい。
また本実施形態においてはカード覆い部２４の長手方向両端にそれぞれ固定部２２とカード係合部２６を形成しているが、固定部２２とカード係合部２６の配置はこれに限るものではなく、例えば（強度を確保できるのであれば）カード係合部２６にネジ通し穴を開けるなどして長手方向一端側に固定部２２とカード係合部２６の両方を配置してもよい。また固定部２２とカード係合部２６の位置はカード覆い部２４の長手方向端部でなくともよく、例えば幅方向に突き出るようにして設けてもよいし、取付爪２８ａ，２８ｂを長めに形成したり筐体１２の板を挟み込む構造にするなどして取付爪２８ａ，２８ｂが固定部２２またはカード係合部２６の機能を兼ねるようにしてもよい。取付爪２８ａ，２８ｂの配置についても、長手方向中央に限るものではなく、例えば左側の取付爪２８ａをカード係合部２６に近い位置に形成し、右側の取付爪２８ｂを固定部２２に近い位置に形成するなどしてもよい。
【００３４】
なお、材質の入手性、強度、外部からの電波遮断性などを考慮すると、カード押さえ材２０は筐体１２の材質と同じ金属で形成した金具とするのが好ましいが、求められる加工性や強度に応じてその他の材質、例えば合成樹脂やセラミックで形成しても良い。
また、本実施形態においてはカードメディアとしてＣＦカードを例にとり説明したが、本発明はＳＤカードとＳＤカードスロット等、様々なカードメディアを装着する各種スロットを備えるコンピュータと、それに用いるカード押さえ材にも適用することができる。
【符号の説明】
【００３５】
１０    コンピュータ
１２    筐体
２０    カード押さえ材
２６    カード係合部
３０    カードスロット
３２    カードスロット入口
３８ａ  取付切欠き部
３８ｂ  取付切欠き部
４０    ＣＦカード
４２    突起
【図１】
0006448580.tif 000002
【図２】
0006448580.tif 000003
【図３】
0006448580.tif 000004
【図４】
0006448580.tif 000005
【図５】
0006448580.tif 000006
【図６】
0006448580.tif 000007